(57)【要約】【課題】    紙製包装用容器の蓋において、容器と蓋が嵌合されたまま内容液の飲料が可能で、飲み口の清潔が保護され、内容液のシール性が高く簡易に量産による価格の低廉を計る紙製カツプ用蓋を提供する。【解決の手段】紙製カップ容器に蓋を嵌合して閉塞する蓋で、蓋の頂板部から垂下する側垂部の内径と紙製カップ容器の上端にあるフランジの外径を同径にし、側垂部とフランジを挟抱する位置に、フランジの径に適する深さと幅の凹条を設け、シールと脱落防止の機能を持ち、蓋の頂板に内容液の流出孔と通気孔を備え、流出孔と通気孔を開閉し同時に飲料で口唇の接触面をシールする、クリンシール貼付の蓋。【選択図】  図  ６
2005343557.tif 000002
【特許請求の範囲】
【請求項１】
口部上端が円形のフランジで形成された紙製包装用容器に、嵌合して閉塞する蓋であって、蓋の頂板部外縁から垂下する側垂部を備え、側垂部の内径と紙製包装用容器のフランジ外径が同径で密接に密着し、一体に成形したことを特徴とする蓋。
【請求項２】
蓋の円形頂板部の外周に沿い、紙製包装用容器のフランジを側垂部と挟抱する位置に、凹条を設けたことを特徴とする請求項１記載の蓋。
【請求項３】
頂板部に内容液を流出する切れ目と貫通孔を合体した流出孔と通気孔を備え、飲料者の口唇接面に適するサイズの剥離容易なシールで流出孔と通気孔の開閉と、口唇接面のクリーン保持シールとすることを特徴とする請求項１及び２記載の蓋。
【発明の詳細な説明】
【技術分野】
【０００１】本発明は、紙製包装容器の蓋に関するものである。
【背景技術】
【０００２】従来から、紙製包装容器や紙製カップは普及し広く知られている。しかし、蓋に関して飲料用紙製カップはプラスチック製が拡く用いられ、紙製の物はほとんど見当たらず、文献的にも少数である。文献的には例えば、特開平８−１８３５５０号公報に紙製蓋の反り防止があり、また、特開平１１−１７１２２２号公報には蓋をカップに嵌合したまま天板が開閉する蓋が記載されている。
【特許文献１】      特開平８−１８３５５０号公報
【特許文献２】      特開平１１−１７１２２２号公報
【特許文献３】      特開２００２−２１１６１７
【特許文献４】      実新登録３０８０８８２号
【特許文献５】      実開平５−９５８５６号
【発明の開示】
【発明が解決しようとする課題】
【０００３】上記の特許文献１から文献５記載に及ぶ蓋は、アイスクリームやジャムなどの粘製品の容器に関するものが多く、液体用の適用には漏出や使用方法に関する衛生などに差異があり、全面的に利用できない難点を持つので、本発明により解決するものである。【０００４】最近環境問題などの見地からプラスチック製品の使用に制約が多くなって来ており、環境に優しい材料による製品が望まれ又義務化の傾向に有るので、紙製カップの蓋においてもプラスチックに代え紙製にする時代が到来している。【０００５】プラスチック製品の制約に関しては特に分別廃棄の条項を定め、紙カップ容器とプラスチック蓋を分別して廃棄することを規定している。しかし、分別の解決には人手が必要となり、人件費に関連して出費となるので大量使用店舗では、出費を回避する立場から紙製蓋が要望される処である。
然しながら紙製蓋の実用化には、考案が複雑で技術的に製造工程が多く多額の資金も必要のため、コストの増大から価格が高騰し、簡易製作のプラスチックに譲らざるを得ないものとなっている。【０００６】本発明は、材質が紙製であっても又プラスチック質で有っても、共に製造が容易で有るので製造コストを安価に押さえられ、現在放置されている流出口即ち飲み口の衛生清潔を、環境に優しくと同時に飲料者に優しくクリーンを保持する装備を持った利用価値と付加価値が高い蓋を提案するものである。
【課題を解決するための手段】
【０００７】本発明の蓋は、開口部が円形である紙製カップ容器の蓋であって、カップ開口部の上端にフランジが設けられ、蓋の頂板外周縁から垂下する側垂部内径と、紙製カップ容器のフランジ外径が同径に成形されて、蓋とフランジが密接に嵌合し密着で分離しようとすれば摩擦抵抗が発生し、分離脱落が困難となることを特徴としている。【０００８】本発明の蓋は紙製を採用した場合は、可燃物であるため廃棄の際に可燃ごみとしてそのまま投棄し焼却することができる。このため分別の人件費は必要とされず出費することは無く、使用コストは安価となる。
使用目的により紙製又はプラスチック製を選択すれば良い。【０００９】本発明の蓋の生活環境上より好ましい紙製を主題とすれば、紙製であっても密封性はプラスチック製蓋に遜色なく有効で、内容液の漏出を試作品による実験でも不安のないことが証明されている。
また、紙製の蓋の耐久性に関しては、紙製カップ自体がカップに満たされたコーヒーやジュースを、熱い又は冷たい短時間の飲料時間に、一回限りの使用で終了するもので、特に強固な耐久性を必要とするものではなく、又本来紙製カップで飲料する飲料者自身も内溶液に理解と関心を持ち留意するので、簡易に漏失することは無いものである。【００１０】近来、蓋の必要性と使用方法の流行が変化し、以前はカップ容器から蓋を取除き、容器から飲料する習慣であったが、近来は蓋を嵌合したまま、蓋の頂板に開けられた切り欠きにストローを差し入れ吸飲されていたが、更に移り変わり、現今は蓋の頂板に設けられた孔からストローなどを使用せず、直接、蓋に口を当てて飲料することが通常の飲み方と成りつつある。【００１１】本発明は、最新の状況に対応するための必要な発明であって、従来は容器の内部の衛生保持が重要な観点で、外部からの汚染防止に蓋が開発されたが、最新は蓋の上辺の衛生保持が重要となってきた。
現在広範に使用されている各種プラスチック製蓋でも、蓋に設けられた内容液流出孔の上に剥離自在な小形シールで、孔専用の小サイズの閉塞シールを貼付しているが、流出孔周囲の衛生上の清潔保持は全く放置されている。即ち不衛生率が高いと推定される蓋上面に直接口を当て飲料しているものである。
本発明はシールスペースを拡大し、シールをクリーンシールとして、蓋体の頂板に在る流出孔周縁から垂下する側垂部に至る、飲料者の口唇が接触する広範囲に貼り、蓋の運搬、装着販売などの間に付着する汚染の防止となし、衛生的で清潔な飲み口を提供することを特徴とする。【００１２】シールをクリーンシールに活用すると同時に、シール貼付により紙製カップ容器の内容液流出を援ける通気孔の閉塞と、剥離して通気孔を活動させる作動を特徴とする。
【発明の効果】
【００１３】本発明の紙製カップ容器の蓋は、型成を一体に成形する構成なので作製が容易であり、大量生産における生産効率を高め、コストを削減することが可能となる。【００１４】本発明の紙製カップの蓋は、一杯のカップに入った飲料液を飲料する短時間の対応品で、一回限りの耐久能力で終了し保存性を必要としない特殊使用品であることで、短時間の使用に耐え、使用効果を最大限に高め、最少限に製造工程を簡易化し、最小限のコストで完成し、口つけ飲料蓋で最も清潔で衛生的な飲み口の蓋を実現したものである。
【発明を実施するための最良の形態】
【００１５】次に、本発明の実施の形態について、図面を参照しながら説明する。
【実施例１】
【００１６】図１は、本実施例に係る紙製カップ容器の蓋２の平面図である。蓋２は頂板部と垂下する側垂部３とから構成され、頂板部２の外周に沿い、カップ容器１のフランジ４を側垂部３と挟抱する位置に、フランジ４の挟抱に適応する幅と深さの凹条６を設け容器１と蓋２の充分な嵌合を行う。
頂板部２に内容液の流出孔５と切り込みを合体して設け、流出を助ける通気孔８を備える。蓋つき紙製カップの使用者がストローの使用を行うことを想定し、ストロー径の大小の余裕を持つ、切り込みと貫通孔を合体した流出孔５を作成しストローの差し込み使用を可能とした。【００１７】図２は、蓋２の断面図である。図１の蓋頂板部２の外周縁から垂下する側垂部３と、側垂部３内側からカップ容器１上端に在る円形フランジ４を挟抱する位置に頂板２外周に沿い凹条６を押圧加工で設け、更に内容液流出のための空気圧調節の通気孔８をと流出孔５を設ける。【００１８】図３は、紙製カップ容器１である。カップ容器１は逆円錐筒状に形成され、口部上端が円形のフランジ４に成形されている。【００１９】図４は、実施例１の形態に係る蓋２と紙製カップ容器１が嵌合し、完成使用状態の断面図である。蓋２の頂板部２から垂下する側垂部３と、紙製カップ容器１の上端にあるフランジ４が嵌合し、容器１を閉塞して蓋２の機能を備える。閉塞のための嵌合において、頂板部２より垂下する側垂部３内壁と、容器１のフランジ４外端は同径に成形されているので、密着し摩擦抵抗で分離を阻止し蓋２は脱落しない。更に頂板部２に側垂部３とフランジ４を反対側から挟む位置に、フランジ４の径に適する深さを持ち、フランジ４を挟抱する凹条６を押圧加工で設け、凹条６の外壁がフランジ４と密接し、摩擦抵抗の発生で分離脱落を阻止して蓋２の嵌合機能が全される。
この脱落阻止機能は同時に内容液の漏出を阻止するもので、第一にフランジ４外端と側垂部３内壁の密着・第二にフランジ４上端と頂板部２内板との密着・第三にフランジ４内端と凹条６外端との密着の３点による密着で、厳重強固な漏出防止を行うものである。【００２０】本発明による凹条６は深度が微弱であるため、シワも微弱でシール性を妨げる事は無い。特に、シワは曲折した先端の面積即ち先の長さ、幅に関連し、長い広いによりシワは大きく深くなるもので、本案のごとき垂下幅数ミリの場合はシール性を大きく阻害しない。
【実施例２】
【００２１】図５は本発明に係る蓋２の実施例２を示すものである。実施例１に示した蓋２の平面図にクリーンシール７を貼付したものである。クリーンシール７の第一の目的は紙製カップ１に蓋２を嵌合し、蓋２で閉塞したまま飲料する流出孔５の開閉用貼付にある。
シール７を剥離すれば流出孔５が露出し飲料可能となる。【００２２】第二は蓋２で紙製カップ１を閉塞したまま飲料する飲料方法で、飲料に際し口唇が蓋２の流出孔５の在る蓋２頂板上面及び側垂部に接触する、接面域の衛生と清潔を保持することである。
飲料用品の衛生は重要問題であり、紙製カップ１の衛生清潔は法的製造規定で定めてあり、蓋２の衛生もまた然りで有るが現状は疎かになっている。製造工場から使用現場まで幾多の経路人手を経てカップに嵌合されるが、その経過だけ汚染され易いものであるが、現時点ではカップ販売者も購入使用者も、不安を感じながら、無いものは致し方が無い理論で放置され、衛生の無防備な蓋２に直接、口唇を当てて飲料している。本発明は衛生を重視し流出孔５の周辺を拡大的に覆う、剥離が容易なシールを貼付するクリーンシール７を特徴とする、清潔で衛生的な蓋２の飲み口を提供するものである。【００２３】第三の目的は、蓋２の流出孔５周辺のクリーンシール７域内に設けた、内容液流出を援ける空気流通調節の通気孔８の開閉を行う。紙製カップ１に蓋２を嵌合し通気孔８を塞ぐクリーンシール７を貼付すれば、容器内は密封状態となり内容液は流出移動が微弱化し液の漏出は停滞する。クリーンシール７を剥離すれば空気は流動し液は流出され、蓋２及びクリーンシール７の効果が発揮されることを特徴とする。
【図面の簡単な説明】
【００２４】
【図１】  本発明の蓋の平面図。
【図２】  本発明の蓋の断面図。
【図３】  紙製カップ容器の断面図。
【図４】  紙製カップ容器に蓋を嵌合した状態を示す断面図。
【図５】  蓋の凹条とクリーンシールを示す平面図。
【図６】  容器の蓋にクリーンシールを貼付した断面図。
【符号の説明】
【００２５】      １    紙製カップ容器
２    蓋
３    側垂部
４    フランジ
５    流出孔
６    凹条
７    クリーンシール
８    通気孔
【図１】
2005343557.tif 000003
【図２】
2005343557.tif 000004
【図３】
2005343557.tif 000005
【図４】
2005343557.tif 000006
【図５】
2005343557.tif 000007
【図６】
2005343557.tif 000008